(57)【要約】【課題】前面扉に挿入装着される操作部材等の装着部材が取外され、その取外された部分の貫通穴部から工具等によって遊技機内の装置に不正にアクセスされることを防止できる遊技機及び方法を提供すること。【解決手段】前面扉の装着部材が装着されている貫通穴部と遊技関連装置との間の空間を物理的に遮断する仕切り部材を設ける。これにより、不正を行おうとする者によって装着部材が取外され、この取外された部分の貫通穴部から針金等の不正な工具等が挿入された場合であっても、装着部材の前面扉に挿入された部分と遊技機内の遊技関連装置を遮断する仕切り部材により、この不正な工具の侵入を阻止することができ、遊技機内の遊技関連装置への不正なアクセスを防止することができる。【選択図】図５
2010213752.tif 000002
【特許請求の範囲】
【請求項１】
前面側に開口部を有する筐体と、該筐体の開口部に開閉可能に取り付けられ貫通穴部の形成された前面扉と、該前面扉の外側から前記貫通穴部に挿入装着される装着部材と、遊技機内部に設けられた遊技に関連する機能を有する遊技関連装置と、を備えた遊技機において、
前記前面扉には、
前記装着部材が前記貫通穴部から取外された状態で、該貫通穴部を通した遊技機内への侵入を規制する侵入規制手段が設けられたことを特徴とする遊技機。
【請求項２】
前記装着部材は、遊技機内部の配線接続先部材と接続線により接続される操作部材として構成され、
前記侵入規制手段は、前記操作部材からの前記接続線の通過を許容する接続線通過穴部を残して、前記操作部材が装着されている前記貫通穴部と前記遊技関連装置との間を仕切る仕切り部材として構成されたことを特徴とする請求項１に記載の遊技機。
【請求項３】
前記貫通穴部と前記接続線通過穴部を結ぶ方向と、該接続線通過穴部と前記遊技関連装置とを結ぶ方向が異なることを特徴とする請求項２に記載の遊技機。
【請求項４】
前記仕切り部材は、
板状の遮断板として構成されたことを特徴とする請求項２又は３に記載の遊技機。
【請求項５】
前記仕切り部材は、
前記操作部材の前記貫通穴部へ挿入された部分である操作部材被挿入部を覆う操作部カバー部材として構成されたことを特徴とする請求項２又は３に記載の遊技機。
【請求項６】
前記操作部カバー部材の内部において前記接続線を通過させる経路が、非直線状に形成されたことを特徴とする請求項５に記載の遊技機。
【請求項７】
前記操作部カバー部材は、
前記操作部材の前記操作部材被挿入部、及び前記接続線を該操作部材被挿入部の部分から配線接続先部材の位置までに亘って共に覆う全体カバー部材として形成されたことを特徴とする請求項５又は６に記載の遊技機。
【請求項８】
前記操作部材は、前記筐体内のリールの停止を指示するストップボタンであり、
前記ストップボタンが設けられた高さ位置よりも低い位置に遊技媒体の払出制御を行うホッパ基板が設けられ、
前記操作部カバー部材は、前記ストップボタンの前記前面扉への被挿入部分を覆い、
前記接続線通過穴部は、前記操作部カバー部材において前記ストップボタンの高さ位置よりも高い位置に設けられたことを特徴とする請求項５又は６に記載の遊技機。
【請求項９】
前記操作部は、前記筐体内のリールの停止を指示するストップボタンであり、
前記ストップボタンが設けられた高さ位置よりも高い位置に遊技の抽選関連の制御を行う主制御基板が設けられ、
前記操作部カバー部材は、前記ストップボタンの前記前面扉への被挿入部分を覆い、
前記接続線通過穴部は、前記操作部カバー部材おいて前記ストップボタンの高さ位置よりも低い位置に設けられたことを特徴とする請求項５又は６に記載の遊技機。
【請求項１０】
前記遊技関連装置は、前記前面扉に突出して設けられたスタートレバーと、該スタートレバーと一体に形成され前記前面扉の内側に突出し、前記スタートレバーに対する操作に応じて抽選にかかる信号を生成する遊技信号生成装置と、を備えたスタートレバーユニットとして構成され、
前記仕切り部材は、前記スタートレバーユニットの接続線を通過させる接続線通過穴部を残して、前記スタートレバーユニットを覆うスタートレバーユニットカバー部材として形成されたことを特徴とする請求項１に記載の遊技機。
【請求項１１】
前面側に開口部を有する筐体と、該筐体の開口部に開閉可能に取り付けられ貫通穴部の形成された前面扉と、該前面扉の外側から前記貫通穴部に挿入装着される装着部材と、遊技機内部に設けられた遊技に関連する機能を有する遊技関連装置と、備えた遊技機内の前記遊技関連装置への不正アクセスを防止する不正防止方法において、
前記前面扉に侵入規制手段を設け、前記貫通穴部からの遊技機内への侵入を規制することを特徴とする不正防止方法。
【発明の詳細な説明】
【技術分野】
【０００１】
本発明は、スロットマシン等の遊技機、及び該遊技機に対する不正を防止する方法に関するものである。
【背景技術】
【０００２】
スロットマシン等の遊技機には、その前面扉に種々の部材が装着されており、このような装着部材の中には、ベットボタンやストップボタン等の複数の操作部材が含まれる。この操作部材は、操作頻度が高く故障が多いので、容易に交換を行うことができるように前面扉と別部材で構成され、着脱自在に取り付けられることが一般的である。例えば、特許文献１には、操作部材の一例であるベットボタンの取り付け構造が記載されている。この文献によれば、前面扉とは別体に形成されたベットボタンの両側部に爪部を形成し、このベットボタンを前面扉に設けられた貫通穴部に挿入して爪部を取り付け孔の縁部に係止させることで、ベットボタンの前面扉への取り付けを行なっている（文献１の図１、及び図２参照）。このベットボタン等の操作部材が操作された際、その操作に対する信号を遊技機内にある中継基板等の基板装置に送信する必要があるため、操作部材は、この基板装置と接続線により接続されている。
【０００３】
一方、遊技機内には、遊技の都度変動表示されるリールの制御や大当たり抽選等を行う主制御基板、メダルの払い出し制御を行うホッパ基板、電源のオン・オフを管理する電源制御基板、レバーの操作による抽選関連の信号を生成する遊技信号生成装置等、遊技者の利益を左右する遊技関連装置が複数設けられている。
【先行技術文献】
【特許文献】
【０００４】
【特許文献１】特開２００６−１８０９９９号公報
【発明の概要】
【発明が解決しようとする課題】
【０００５】
近年では、例えば、特許文献１に記載されているタイプのベットボタン等の前面扉と別体の操作部材を、工具などを用いてこじって取外し、操作部材が取外されている状態で空いた貫通穴部から遊技機内部へ特殊な工具等を挿入させて、例えばホッパ基板、遊技者の利益を左右する遊技関連装置にアクセスして操作し、不正にメダル（遊技媒体）を取得し、その後、このような不正なメダルの払い出しを隠蔽する目的で取り外した操作部材を元に戻すといった行為が行われることが問題となっていた。
【０００６】
本発明は、このような事情に鑑みてなされたものであり、その目的は、前面扉に挿入装着される操作部材等の装着部材が取外された場合でも、その取外された部分の貫通穴部から工具等によって遊技機内の装置に不正にアクセスされることを防止できる遊技機及び方法を提供することにある。
【課題を解決するための手段】
【０００７】
上記課題を解決する請求項１に記載の発明による遊技機は、前面側に開口部を有する筐体と、該筐体の開口部に開閉可能に取り付けられ貫通穴部の形成された前面扉と、該前面扉の外側から前記貫通穴部に挿入装着される装着部材と、遊技機内部に設けられた遊技に関連する機能を有する遊技関連装置と、を備えた遊技機において、前記前面扉には、前記装着部材が前記貫通穴部から取外された状態で、該貫通穴部を通した遊技機内への侵入を規制する侵入規制手段が設けられたことを特徴とする。
【０００８】
なお、本発明において、遊技関連制御装置とは、主基板等の遊技の抽選に関連する制御を行う基板、抽選関連信号を生成するスタートレバー用信号生成装置などの抽選乱数の発生に係る装置、ホッパ基板等のメダルの払い出しに関連する制御を行う基板、及び遊技にかかる電気信号や電流の伝達媒体となる配線やそのコネクタなどの不正対象となり得るものを意味する。
【０００９】
これにより、不正を行おうとする者によって装着部材が取外され、この装着部材が装着されていた部分の貫通穴部から針金等の不正な工具等が挿入された場合であっても、この貫通穴部からの遊技機内への侵入を規制する侵入規制手段により、不正な工具の侵入を規制することができ、上記遊技関連装置への不正なアクセスを防止することができる。
【００１０】
請求項２に記載の発明は、請求項１に記載の遊技機において、前記装着部材は、遊技機内部の配線接続先部材と接続線により接続される操作部材として構成され、前記侵入規制手段は、前記操作部材からの前記接続線の通過を許容する接続線通過穴部を残して、前記操作部材が装着されている前記貫通穴部と前記遊技関連装置との間を仕切る仕切り部材として構成されたことを特徴とする。
【００１１】
遊技機の一例としてのスロットマシンの一般的な構成においては、ベットボタンやストップボタン等の操作部材が、遊技者などにより外側から操作される際の衝撃によって前面扉から脱離しないように、フランジ等の係合部材を用いて前面扉の外側から取り付けられている。このような取り付け状態の操作部材は、上記係合部材による前面扉への係合状態を解除することで前面扉の外側から容易に取外される。従って、当該操作部材は、特に、前面扉外側からの不正な取外しの対象となり易い。一方で、ベットボタンやストップボタンの近傍には、遊技における抽選関連信号を生成するスタートレバーが設けられている。この構成も、不正を試みる者が、ベットボタンやストップボタンを前面扉から不正に取外し、内部に工具を侵入させようとする試みを助長する要因となっている。
【００１２】
本発明の構成によれば、侵入規制手段が、操作部材に接続されている配線接続先への接続線の通過を許容する接続線通過穴部を備え、この操作部材が装着されている貫通穴部と前記遊技関連装置との間を仕切る仕切り部材として構成されたことによって、特に不正な取外しが行われ易いベットボタンやストップボタン等の操作部材が挿入装着されている部分の貫通穴部と上記遊技関連装置との間を物理的に仕切り、遊技機内の遊技関連装置への不正なアクセスを防止することができる。
【００１３】
請求項３に記載の発明は、請求項２に記載の遊技機において、前記貫通穴部と前記接続線通過穴部を結ぶ方向と、該接続線通過穴部と前記遊技関連装置とを結ぶ方向が異なることを特徴とする。
【００１４】
これによれば、前面扉における操作部材が挿入装着されている部分の貫通穴部、接続線通過穴部、及び遊技関連装置を結ぶ経路が非直線状となるので、不正を行おうとする者によって装着部材が取外され、この装着部材が装着されていた部分の貫通穴部から針金等の不正な工具等が挿入された場合であっても、この工具を、接続線通過穴部を経由して遊技関連装置に到達させることが困難なものとなる。従って、遊技関連装置への不正アクセスをより効果的に防止することができる。
【００１５】
請求項４に記載の発明は、請求項２又は３に記載の遊技機において、前記仕切り部材は、板状の遮断板として構成されたことを特徴とする。これによれば、上記仕切り部材を、遮断板を設けるという容易な方法で構成することができる。
【００１６】
請求項５に記載の発明は、請求項２又は３に記載の遊技機において、前記仕切り部材は、前記操作部材の前記貫通穴部へ挿入された部分である操作部材被挿入部を覆う操作部カバー部材として構成されたことを特徴とする。
【００１７】
これにより、不正を行おうとする者によって操作部材が取外され、この操作部材が装着されていた部分の貫通穴部から針金等の不正な工具等が挿入された場合であっても、操作部カバー部材により工具の侵入路が塞がれ、遊技機内の遊技関連装置へのアクセスを効果的に防止することができる。
【００１８】
請求項６に記載の発明は、請求項５に記載の遊技機において、前記操作部カバー部材の内部において前記接続線を通過させる経路が、非直線状に形成されたことを特徴とする。
【００１９】
これによれば、仮に、不正を行おうとする者が、操作部材を取外して、その操作部材が装着されていた部分の貫通穴部から工具を挿入し、操作部カバー部材内部を通して接続線通過穴部から遊技機本体内の遊技関連装置にアクセスしようとした場合であっても、操作部カバー部材の内部における接続線の通過経路が非直線状であるので、上記工具の操作部カバー部材内における侵入経路も、非直線状となる。従って、工具を貫通穴部から接続線通過穴部に到達させることが困難なものとなり、遊技機内への遊技関連装置への不正なアクセスを効果的に防止することができる。
【００２０】
請求項７に記載の発明は、請求項５又は６に記載の遊技機において、前記操作部カバー部材は、前記操作部材の前記操作部材被挿入部、及び前記接続線を該操作部材被挿入部の部分から配線接続先部材の位置までに亘って共に覆う全体カバー部材として形成されたことを特徴とする。
【００２１】
これによれば、操作部材の被挿入部分、及びその被挿入部分に設けられている接続線が、配線接続先部材の部分までに亘って全体的に覆われることとなり、操作部材が装着されている部分の貫通穴部と連通する遊技機内部の空間は、遊技機内部の配線接続先部材以外の装置から物理的に断絶されることとなる。従って、仮に操作部材が取外されてその操作部材が装着されていた部分の貫通穴部から不正に工具が挿入された場合であっても、その工具を配線接続先部材以外の装置である遊技関連装置へアクセスさせることをほぼ確実に防止することができる。
【００２２】
請求項８に記載の発明は、請求項５又は６に記載の遊技機において、前記操作部材は、前記筐体内のリールの停止を指示するストップボタンであり、前記ストップボタンが設けられた高さ位置よりも低い位置に遊技媒体の払出制御を行うホッパ基板が設けられ、前記操作部カバー部材は、前記ストップボタンの前記前面扉への被挿入部分を覆い、前記接続線通過穴部は、前記操作部カバー部材において前記ストップボタンの高さ位置よりも高い位置に設けられたことを特徴とする。
【００２３】
遊技機としてのスロットマシンの一般的な構成においては、ホッパ基板は、ストップボタンの設けられている高さ位置よりも低い遊技機内部の下方位置に設けられている。このホッパ基板は、メダルの払出枚数等の制御を主として行うので、この基板に対して不正が行われた場合には、遊技機を管理する管理者に極めて大きな損害をもたらす可能性が高い。
【００２４】
これに対して、本発明によれば、ストップボタンの被挿入部分を覆う操作部カバー状部材においてストップボタンの高さ位置より高い部分に接続線通過穴部を形成することによって、ストップボタンが装着されている部分の貫通穴部、接続線通過穴部、及びホッパ基板を結ぶ軌道が、大きく折れ曲がった非直線状となる。従って、上述のように不正の対象となることで大きな損害が発生する可能性の高いホッパ基板への遊技機外部からのアクセスを効果的に防止することができる。
【００２５】
請求項９に記載の発明は、請求項５又は６記載の遊技機において、前記操作部は、前記筐体内のリールの停止を指示するストップボタンであり、前記ストップボタンが設けられた高さ位置よりも高い位置に遊技の抽選関連の制御を行う主制御基板が設けられ、前記操作部カバー部材は、前記ストップボタンの前記前面扉への被挿入部分を覆い、前記接続線通過穴部は、前記操作部カバー部材おいて前記ストップボタンの高さ位置よりも低い位置に設けられたことを特徴とする。
【００２６】
遊技機としてのスロットマシンの一般的な構成においては、主制御基板は、ストップボタンの設けられている高さ位置よりも高い遊技機内部の上方位置に設けられている。この主制御基板は、遊技における入賞役の抽選を主として制御する部分であるので、この基板に対して不正が行われた場合には、遊技機を管理する管理者に極めて多大な損害をもたらす可能性が高い。
【００２７】
これに対して、本発明によれば、前面扉に挿入されているストップボタンの部分を覆う操作部カバー状部材におけるストップボタンの高さ位置より低い部分に接続線通過穴部を形成することによって、ストップボタンが装着されている部分の貫通穴部、接続線通過穴部、及び遊技関連装置としての主制御基板を結ぶ軌道が、大きく折れ曲がった非直線状となる。従って、上述のように不正の対象となることで極めて大きな損害が発生する可能性の高い主制御基板への遊技機外部からのアクセスを効果的に防止することができる。
【００２８】
請求項１０に記載の遊技機は、請求項１に記載の遊技機において、前記遊技関連装置は、前記前面扉に突出して設けられたスタートレバーと、該スタートレバーと一体に形成され前記前面扉の内側に突出し、前記スタートレバーに対する操作に応じて抽選にかかる信号を生成する遊技信号生成装置と、を備えたスタートレバーユニットとして構成され、前記仕切り部材は、前記スタートレバーユニットの接続線を通過させる接続線通過穴部を残して、前記スタートレバーユニットを覆うスタートレバーユニットカバー部材として形成されたことを特徴とする。
【００２９】
一般的に、スタートレバーには、遊技者等によるレバーの操作で遊技の抽選関連の信号を生成する遊技信号生成装置が一体に設けられている。従って、不正を行う者は、遊技の抽選結果を不正操作する目的で、このスタートレバーの遊技信号生成装置に対するアクセスを試みる可能性が高い。
【００３０】
これに対して、本発明によれば、このスタートレバーと遊技信号生成装置をスタートレバーユニットとしてカバー部材で覆ったことによって、不正の対象になり易い遊技信号生成装置の部分への不正なアクセスを効果的に防止することができる。
【００３１】
請求項１１に記載の遊技機に対する不正防止方法は、前面側に開口部を有する筐体と、該筐体の開口部に開閉可能に取り付けられ貫通穴部の形成された前面扉と、該前面扉の外側から前記貫通穴部に挿入装着される装着部材と、遊技機内部に設けられた遊技に関連する機能を有する遊技関連装置と、備えた遊技機内の前記遊技関連装置への不正アクセスを防止する不正防止方法において、前記前面扉に侵入規制手段を設け、前記貫通穴部からの遊技機内への侵入を規制することを特徴とする。
【００３２】
これにより、不正を行おうとする者によって装着部材が取外され、この取外された部分の貫通穴部から針金等の不正な工具等が挿入された場合であっても、この貫通穴部からの遊技機内への侵入を規制する侵入規制手段により、この不正な工具の侵入を規制することができ、上記遊技関連装置への不正なアクセスを防止することができる。
【発明の効果】
【００３３】
本発明によれば、例えば、ストップボタンやマックスベットボタン等の装着部材が取外されたとしても前面扉に設けられた侵入規制手段により、針金等の不正な工具等の侵入を規制することができるので、遊技機内部の遊技関連装置への不正なアクセスを防止することができる。すなわち、装着部材を不正に取り外された場合であっても、遊技機内部への操作を防止して、不正行為による損害を大きく減らすことができる。
【図面の簡単な説明】
【００３４】
【図１】本実施の形態におけるスロットマシンの概略的な斜視図である。
【図２】スロットマシンの前面扉が開いた状態を示す斜視図である。
【図３】スロットマシンの筐体内を正面から示す図である。
【図４】スロットマシンの正面下部を断面により示す図である。
【図５】第１の実施の形態にかかるスロットマシンの遮断板の設置状況を説明する図である。
【図６】操作スイッチユニットの構成を説明する図である。
【図７】第２の実施の形態にかかるボタンカバー部材の構成を説明する図である。
【図８】ボタンカバー部材を取り付けた状態を示す図である。
【図９】第３の実施の形態にかかるボタンカバー部材の構成を説明する図である。
【図１０】第４の実施の形態においてボタンカバー部材を取り付ける態様を示す図である。
【図１１】ボタンカバー部材を取り付けた状態を示す図である。
【図１２】第５の実施の形態においてコネクタを遮断板に挿通させる態様を示す図である。
【図１３】図１３における要部拡大図を示す。
【図１４】コネクタを挿通させる態様を具体的に説明する図である。
【図１５】第６の実施の形態においてストップボタンの取り付け態様を説明する図である。
【図１６】ストップボタンの構成を説明する図である。
【図１７】ストップボタンの取り付け態様を示す図である。
【図１８】ストップボタンの取り付け態様を示す図である。
【図１９】ストップボタンが取り付けられた状態を示す図である。
【図２０】第７の実施の形態においてストップボタンの取り付け態様を説明する図である。
【図２１】ストップボタンの構成を説明する図である。
【図２２】ストップボタンが取り付けられた状態を示す図である。
【発明を実施するための形態】
【００３５】
以下、本発明に係る遊技機の一例としてスロットマシン１の構造を図面に基づいて説明する。なお、このスロットマシン１は、後述する第1〜第６の全ての実施の形態の基本となる構成を備えたものである。
【００３６】
図１は、スロットマシン１の前面扉３が閉じた状態を示す斜視図、図２は、スロットマシン１の前面扉３が開いた状態を示す斜視図、図３は、スロットマシン１の筐体２を正面から示す図、図４は、スロットマシン１の正面下部を断面により示す図である。
【００３７】
スロットマシン１は、図１及び図２に示すように、筐体２と前面扉３とからなる正面視略矩形状の本体（遊技機本体）４を有する。
【００３８】
前面扉３は、略平板状のフレーム２０に、スタートレバー２６やセレクタ９等の種々の装置類が装着されて構成されている。フレーム２０は、フレーム２０の上端部から高さ方向略中央部まで下方に移行するにしたがって手前側に突出するように傾斜した傾斜部２０Ａと、傾斜部２０Ａの下端から手前側に突出してフレーム２０の左右に亘って所定の高さ幅で延在する突出部２０Ｂと、突出部２０Ｂよりも奥側に後退した位置で突出部２０Ｂからフレーム２０の下端部まで垂下する垂下部２０Ｃを有する。
【００３９】
フレーム２０は、左端部の上下複数カ所がヒンジ５（図２を参照）によって筐体２に連結されて取り付けられ、筐体２の前部を容易に開放及び閉塞できるようになっている。そして、フレーム２０の右端部には、筐体２に対して前面扉３を閉塞して施錠状態とする施錠装置６と、その施錠装置６による施錠状態を解除して前面扉３を開放するためのキーシリンダ７が設けられている。
【００４０】
前面扉３の前面には、フレーム２０に取り付けられた装置類によって、上方から下方に向かって順番に並ぶように、演出部３Ａ、表示部３Ｂ、操作スイッチユニット３Ｃ、装飾部３Ｄ、払出部３Ｅが形成されている。
【００４１】
演出部３Ａは、遊技者に対して光や音、映像を用いて演出を行う演出装置２１を有する。演出装置２１は、フレーム２０の傾斜部２０Ａに取り付けられており、遊技の進行に伴って点灯・点滅する上部ランプ２１ａと、上部ランプ２１ａの下方位置で左右両側に各々配置されて種々の効果音等を発生させる一対のスピーカ２１ｂ−１、２１ｂ−２と、これら一対のスピーカ２１ｂ−１、２１ｂ−２の間に配設されて、画像・映像等の種々の情報を表示する液晶ディスプレイ２１ｃを有する。
【００４２】
表示部３Ｂは、遊技者に遊技状態を示す表示用パネル２２を有する。表示用パネル２２は、フレーム２０の傾斜部２０Ａに開口する矩形の開口部に嵌合されて取り付けられている。表示用パネル２２の略中央位置には、透明又は半透明な材質によって表示窓２２ａが一体成形されており、その表示窓２２ａから筐体２の内方の回転リール１１ａ〜１１ｃを視認できるようになっている。
【００４３】
操作スイッチユニット３Ｃは、表示用パネル２２の下端から手前側に向かって平面状に突出する突出部２０Ｂの上面部２０Ｂａに、ベットボタン２３とメダル投入口２４とが左右に離れて設けられている。そして、上面部２０Ｂａの手前側の端部で折曲されて垂下する突出部２０Ｂの前面部２０Ｂｂに、精算ボタン２５、回転リール１１ａ〜１１ｃの回転開始を指示するためのスタートレバー２６、回転リール１１ａ〜１１ｃの回転停止を指示するためのストップボタン２７等の各操作手段が横一列に並ぶように配設されている。なお、このベットボタン２３は、前面扉３とは別体に構成され、前面扉３の表裏面を貫通する貫通穴部１９に挿入装着され、スロットマシン１内部にあるベットボタン２３の配線接続先である中継基板と接続線により接続されている。一方、ストップボタン２７も同様に、前面扉３とは別体に構成され、前面扉３の表裏面を貫通する貫通穴部２９に挿入装着され、スロットマシン１内部の上記中継基板と接続されている。
【００４４】
更に、スタートレバー２６には、前面扉３の内側に突出し、スタートレバー２６に対する操作に応じて抽選にかかる信号を生成し中継基板に出力する図示しない遊技信号生成装置が設けられている。
【００４５】
装飾部３Ｄは、機種名や遊技に関わるキャラクタ等を表示する装飾用パネル４０を有する。装飾用パネル４０は、装飾用パネル４０の裏面側に設けられた照明装置の光源Ｐから照射される光によって照明されて、装飾が際立つようになっている。照明装置は、光源Ｐとして冷陰極管を備えており、図４に示すように、装飾用パネル４０の表示部４２とフレーム２０の垂下部２０Ｃとの間で前面扉３の左右に延在し、両端がフレーム２０に支持されている。光源Ｐは、電源の供給を受けて放射状に光を照射する。
【００４６】
装飾用パネル４０は、保護カバー５１と減光手段６１を備えている。保護カバー５１は、フレーム２０の垂下部２０Ｃの前方で上下に延在する表示部５２と、表示部５２の下端で折曲されて後方に向かって延在し、メダル受け皿３３に対向する対向部５３とが一体に形成され、透明又は半透明のプラスチックやアクリル等、硬質の合成樹脂製材料等の光透過性部材によって構成されている。
【００４７】
減光手段６１は、保護カバー５１の対向部５３の少なくとも一部を覆い、光源Ｐからメダル受け皿３３に向かって照射される光を減光する構成を有しており、対向部５３の上面に取り付けられて光源Ｐからメダル受け皿３３に向かって照射される光を遮光する遮光プレート６２と、遮光プレート６２に開口して光源Ｐからメダル受け皿３３に向かって照射される光を通過させる開口部６６と、開口部６６に脱着自在に取り付けられて開口部６６を通過する光を透過させて光量や色等を変更する透過光調整部６８によって構成されている。
【００４８】
開口部６６は、光源Ｐから照射された光が通過してメダル受け皿３３を照明する位置に設けられている。開口部６６の大きさは、光源Ｐからメダル受け皿３３内を照明するのに必要でかつ遊技者が眩しくない程度の光量の光を透過させることができる大きさに設定されている。
【００４９】
したがって、光源Ｐから照射された光を減光手段６１で減光して、メダル受け皿３３に照射される光の光量を調整することができ、適切な光量の光でメダル受け皿３３を照明でき、遊技者にとって眩しすぎず、かつ、メダル受け皿３３上のメダルの存否確認を容易ならしめ、メダル受け皿３３上のメダルの取り忘れを防ぐことができる。
【００５０】
特に、メダル受け皿３３の底板部３３Ａの強度を補強するために底板部３３Ａの底面に金属製の板部材が敷設されて、上方からの光を反射し易い構造となっている場合には、減光手段６１によって適切な光量に減光することにより、遊技者が眩しく感じるのを有効に防ぐことができる。
【００５１】
そして、保護カバー５１の表示部５２と対向部４３が一体に形成されているので、光を透過させるための開口部等を保護カバー５１に開ける必要がない。したがって、針金等の棒状の異物が保護カバー５１を貫通して挿入されるおそれがなく、スロットマシン１の設定状態を不正に変更する等の不正行為を有効に防ぐことができる。
【００５２】
払出部３Ｅは、メダル払出口３１や演出用スピーカ３２Ｌ、３２Ｒ、メダル受け皿３３等を有する。メダル払出口３１は、図１に示すように、フレーム２０の左右方向略中央位置に開口形成されており、排出用通路８（図２を参照）の下流端が連通して接続されている。演出用スピーカ３２Ｌ、３２Ｒは、メダル払出口３１の左右方向両側に位置するように前面扉３のフレーム２０に取り付けられている。
【００５３】
メダル受け皿３３は、メダル受け皿取付板３０を介してフレーム２０に取り付けられている。メダル受け皿取付板３０は、一枚の平板状の金属板によって構成されており、フレーム２０の垂下部２０Ｃに重ね合わせるように取り付けられて、前面扉３の左右に亘って延在し、左右の演出用スピーカ３２Ｌ、３２Ｒの前面を覆っている。
【００５４】
メダル受け皿取付板３０の略中央には、フレーム２０のメダル払出口３１の位置に対応してメダル出口３０ａが開口形成されており、メダル払出口３１からメダル受け皿３３にメダルが排出されるようになっている。また、メダル受け皿取付板３０の左右両側には、演出用スピーカ３２Ｌ、３２Ｒの位置に対応して複数の小孔３０ｂがメッシュ状に形成されて、演出用スピーカ３２Ｌ、３２Ｒからの音声等が前面扉３の前方である手前側に向かって発せられるようになっている。
【００５５】
メダル受け皿３３は、フレーム２０の垂下部２０Ｃから手前側に突出して前面扉３の左右に延在するように取り付けられている。メダル受け皿３３は、メダル払出口３１よりも下方位置で底面が左右に広がる底板部３３Ａと、底板部３３Ａの外端縁に沿って設けられて底面から上方に延出する縦壁部３３Ｂを有し、メダル受け皿取付板３０に取り付けられた場合に、縦壁部３３Ｂとメダル受け皿取付板３０との間に囲まれて上方が開放された所定枚数のメダルを貯留可能な貯留空間を形成する構成を有する。
【００５６】
縦壁部３３Ｂは、メダル受け皿取付板３０から手前側に向かって延出するように基端がメダル受け皿取付板３０に固定される左右一対の側面壁部３３Ｂａ、３３Ｂｂと、メダル受け皿取付板３０に沿って左右に延在するように一対の側面壁部３３Ｂａ、３３Ｂｂの先端間を連結してメダル払出口３１に対向配置される正面壁部３３Ｂｃを有する。
【００５７】
左側面壁部３３Ｂａは、前面扉３の左端部よりも内方に位置し、前面扉３の左端部と左側面壁部３３Ｂａとの間には灰皿３３Ｃが配設されている。右側面壁部３３Ｂｂは、前面扉３の右端部に沿って位置し、メダル受け皿取付板３０から手前側に向かって移行するにしたがって右側面壁部３３Ｂｂの上端が漸次下方に移行し、正面壁部３３Ｂｃの上端に滑らかに連続している。
【００５８】
筐体２は、スロットマシン１の骨格をなす部材であり、天板２Ａ、底板２Ｂ、背板２Ｃ、左側板２Ｄ、右側板２Ｅからなり、図２に示すように、前部が開放された箱形状を有している。
【００５９】
筐体２の内方の略中央高さ位置には、リールユニット１１が配設されている。リールユニット１１は、複数個の回転リール１１ａ〜１１ｃを有している。各回転リール１１ａ〜１１ｃは、その回転中心軸線が筐体２の横幅方向に同一軸線上に延びるように配置されており、表示窓２２ａから回転リール１１ａ〜１１ｃの表面を視認できるようになっている。
【００６０】
回転リール１１ａ〜１１ｃの表面には、周回方向に所定間隔をおいて複数種類の図柄が表示されており、表示窓２２ａから上下に３つの図柄が視認できるように配置されている。そして、リール１１ａ〜１１ｃの正転により、各表示窓２２ａには各種図柄が上から下に移動しているように映し出される。
【００６１】
各リール１１ａ〜１１ｃは、個々にステッピングモータ（図示せず）に連結されており、各ステッピングモータにより別個独立して回転駆動され、リール表面の図柄が表示窓２２ａから視認可能な位置に停止される。
【００６２】
筐体２の内方の上部位置には、主制御基板ユニット１２が配設されている。主制御基板ユニット１２は、スロットマシン１の遊技動作を制御するメイン制御基板が制御基板収納ボックス内に収容された状態で、台座装置によって筐体２の背板２Cに取付支持されている。
【００６３】
筐体２の内方の下部位置には、電源ボックス１３とメダル払出手段１４と補助タンク５０が左右に並んで配置されている。電源ボックス１３は、筐体２の左側板２Ｄに沿って設けられており、開閉扉１３ａを開くことで露出される正面部には、電源スイッチ、リセットスイッチ、設定キー挿入孔（いずれも図示せず）が設けられている。電源スイッチは、主制御装置等を始めとする各部に電源を供給するための起動スイッチである。
【００６４】
リセットスイッチは、スロットマシンの各種状態をリセットするためのスイッチである。本スロットマシン１は、各種データのバックアップ機能を有しており、万一停電が発生した際でも停電時の状態を保持し、停電からの復旧（復電）の際には停電時の状態に復帰できるようになっている。したがって、例えば遊技ホールの営業が終了する場合のように通常手順で電源を遮断すると遮断前の状態が記憶保持されるが、リセットスイッチを押しながら電源スイッチをオンすると、バックアップデータがリセットされるようになっている。また、電源スイッチがオンされている状態でリセットスイッチを押した場合には、エラー状態がリセットされる。
【００６５】
設定キー挿入孔は、ホール管理者などがメダルの出玉調整を行うためのものである。すなわち、ホール管理者等が設定キーを設定キー挿入孔へ挿入して操作することにより、スロットマシン１の設定状態（当選確率設定処理）を「設定１」から「設定６」まで変更できるようになっている。
【００６６】
メダル払出手段１４は、図示していないスライド機構を介して筐体２の底板２Ｂの上面に取り付けられており、前面扉３を開放した状態で筐体２の内方から前方に向かって引き出すことができるようになっている。
【００６７】
メダル払出手段１４は、メダルを貯留するホッパ１５と、ホッパ１５内のメダルをメダル受け皿３３に払い出す払出装置１６と、ホッパ１５から溢れたメダルをホッパ１５の外に排出するメダル排出口１８等を備えている。そして、底板２Ｂの上面に払出装置１６がスライド移動可能に支持され、払出装置１６の上部にホッパ１５が取り付けられ、ホッパ１５にメダル排出口１８が形成されている。
【００６８】
払出装置１６は、モータ等の駆動手段により回転体を回転させて（いずれも図示せず）、ホッパ１５内のメダルを払出口１６ａから払い出して排出用通路８に流入させる構成を有する。ホッパ１５は、筐体２の上下方向に延在する平面視略矩形の胴部１５Ａと、胴部１５Ａの下端部を閉塞する底部１５Ｂとからなる有底筒状をなす。胴部１５Ａは、左壁部１５Ａｃと右壁部１５Ａｄとが筐体２の左側板２Ｄ、右側板２Ｅと平行に延在し、後壁部１５Ａｂが筐体２の背板２Ｃに沿って延在し、前壁部１５Ａａが筐体２の前部で左右に延在するように配置される。
【００６９】
そして、胴部１５Ａの上端部は、上方に向かって開放されており、ホッパ１５内にメダルが投入される投入口１７が形成されている。底部１５Ｂは、互いに対向して下方に移行するにしたがって漸次接近するように傾斜した左右一対の傾斜部１５Ｂａ、１５Ｂｂを有している。これら左右一対の傾斜部１５Ｂａ、１５Ｂｂのうち、図３で左側に示される傾斜部１５Ｂａには、払出装置１６にメダルを供給する供給口が形成されている。
【００７０】
そして、図３で右側に示される傾斜部１５Ｂｂは、払出装置１６よりも筐体２の右側板２Ｅ側に突出し、底板２Ｂの上面と対向している。メダル排出口１８は、補助タンク５０の上方に位置し、ホッパ１５から溢れてメダル排出口１８から排出されたメダルを補助タンク５０内に流入させることができるように、胴部１５Ａの右壁部１５Ａｄに形成されている。
【００７１】
補助タンク５０は、前面扉３を開放した状態で筐体２の内方から前方に向かって引き出して取り外しできるように、筐体２の底板２Ｂの上面に載せた状態で収容されて、遊技機本体４内に装着される。筐体２の底板２Ｂには、補助タンク５０に収容したメダルを遊技機本体４の下方に位置する自動回収装置に供給するためのメダル回収穴が開口形成されている。
【００７２】
（第１の実施の形態）
以下、第1の形態について図面を参照にして詳細に説明する。
【００７３】
図５は、本実施の形態に係るスロットマシン１において、前面扉３の外側からのスロットマシン１内の装置に対する不正なアクセスを規制するための構成を説明する図である。図示のように、本実施の形態では、操作スイッチユニット３Ｃが前面扉３に対して着脱自在に取り付けられる構造であり、前面扉３の操作スイッチユニット３Ｃが取り付けられている部分には、操作スイッチユニット３Ｃのストップボタン２７が装着されている貫通穴部２９やベットボタン２３が装着されている貫通穴部１９と、スロットマシン１内部の主制御基板やホッパ基板等の遊技関連装置と、を仕切る遮断板８０が設けられている。
【００７４】
この遮断板８０は、前面扉３の幅方向全域に亘って延在する長さで略矩形状に形成されており、スタートレバー２６の接続線を通過させる接続線通過穴８２と、ベットボタン２３及びストップボタン２７−１〜３等のスタートレバー２６の接続線以外の操作部材の接続線を通過させる接続線通過穴８４と、メダル投入口２４から投入されたメダルを筐体２内にあるホッパに案内するメダル案内部８６を有している。また、この遮断板８０の両端の近傍位置にネジ止め部８１が設けられている。
【００７５】
接続線通過穴８２は、スタートレバー２６から筐体２内の配線接続先部材である中継基板に接続される接続線を挿通させることが可能となるように、極力小さく略矩形状に形成されている。同様に、接続線通過穴８４も、操作スイッチユニット３Ｃが前面扉３に取り付けられた状態でストップボタン２７−１〜３、及びベットボタン２３から筐体２内の中継基板に接続する接続線を全て挿通可能である範囲で可及的に小さく形成されている。
【００７６】
メダル案内部８６は、操作スイッチユニット３Ｃが前面扉３に取り付けられた状態でメダル投入口２４の直下位置に位置してメダルを通過させるメダル通過口８６ａを有している。
【００７７】
一方、装飾パネル４０は、操作スイッチユニット３Ｃのストップボタン２７に対応する位置に設けられたストップボタン挿通穴９１、スタートレバー２６に対応する位置に設けられたスタートレバー挿通穴８４、その上部両端位置に形成された係合片９３を有している。
【００７８】
そして、この装飾パネル４０は、ストップボタン挿通穴９１、スタートレバー挿通穴８４、及びキーシリンダ７を、それぞれ操作スイッチユニット３Ｃのストップボタン２７、スタートレバー２６、及びキーシリンダ受け穴８７に対応させるとともに、操作スイッチユニット３Ｃの凸部受け穴８９に装飾パネル４０の裏面側に設けられた図示しない凸部を対応させ、係合片９３を操作スイッチユニット３Ｃの端部スリット８５に挿入して操作スイッチユニット３Ｃと一体化させた状態で前面扉３に固着される。これにより、操作スイッチユニット３Ｃが前面扉３から不正に取外されることが防止される。
【００７９】
なお、本実施の形態では、上記操作スイッチユニット３Ｃと装飾パネル４０を組み合わせた部材の前面扉３への取り付けを強固に行なうために、装飾パネル４０の係合片９３やその裏面側下部位置に形成された図示しない爪部を、前面扉３の所定箇所に形成された爪受け部に係合させている。
【００８０】
上記構成によれば、ベットボタン２３やストップボタン２７が取外されて貫通穴部１９や２９から針金等の工具が不正に挿入された場合であっても、前面扉３に設けられた遮断板８０により、この工具の侵入を物理的に遮断することができる。
【００８１】
特に、本実施の形態では、遮断板８０に設けられた接続線通過穴８４を、ベットボタン２３が装着されている貫通穴部１９やストップボタン２７が装着されている貫通穴部２９よりも小さくすることが好ましい。これにより、貫通穴部１９、２９から不正に挿入された工具の可動範囲をより制限することができる。なお、接続線通過穴８４を遮断板８０ではなく、例えば、前面扉３の何れかの位置に設けても良い。この場合、接続線通過穴８４からスロットマシン１内部への直線軌道上に不正対象となる主制御基板やホッパ基板が位置することがないように、前面扉３における接続線通過穴８４を設ける場所を選定することが好ましい。
【００８２】
また、例えば、主制御基板等の遊技の抽選の抽選結果を左右する重要な制御を行う遊技制御装置は、アクリル等の樹脂性のケースでカバーされた状態で筐体３内に設置されることがあるが、このような場合においても、わざわざ重要な装置全てを個々に樹脂製のケースに収容するという煩雑な作業を行うことなく、１個の遮断板８０を設けるだけで不正対象となり得るスロットマシン１内の遊技関連装置を全て保護することができる。なお、さらに高い安全度を追求するために、重要な装置をアクリルケースに収容して筐体３内に設置した上でさらに遮断板８０を設けても良い。
【００８３】
一方、本実施の形態では、遊技の抽選に関連するスタートレバー２６に対して、さらに不正行為に対する安全度を高める構成が具備されている。
【００８４】
図６は、操作スイッチユニット３Ｃの構成を説明する図である。図示のように、本実施の形態では、スターレバー２６及びそれに付属する遊技信号生成装置全体がカバー部材９０によって覆われ、このスタートレバー２６と略矩形状のカバー部材９０により覆われた部分とによってスタートレバーユニット９２が構成されている。
【００８５】
このスタートレバーユニット９２は、図６（ａ）及び図６（ｂ）から理解されるように、操作スイッチユニット３Ｃに対して着脱自在となっている。なお、このスタートレバー９２は、操作スイッチユニット３Ｃが前面扉３から取外された状態でないと、操作スイッチユニット３Ｃから取外せない構造である。
【００８６】
図６（ｃ）には、スタートレバーユニット９２の内側の構造を概略的に示している。図示のように、スタートレバーユニット９２のカバー部材９０は、スタートレバーユニット９２の基端部分に取り付けられる接続線を通すことが可能となるように、この基端部分に対向する位置に開口部９０ａが形成されている。そして、図６（ｄ）に示すように、スタートレバーユニット９２が操作スイッチユニット３Ｃに取り付けられた状態で、開口部９０ａに接続線９５が挿通され、スタートレバーユニット９２に接続される。なお、操作スイッチユニット３Ｃの底部における切欠き９６は、操作スイッチユニット３Ｃを前面扉３に取り付ける際に、メダル案内装置８６の位置に対応する部分である。
【００８７】
このようなスタートレバーユニット９２が取り付けられた状態の操作スイッチユニット３Ｃが、前面扉３に固定されることによって、カバー部材９０の開口部９０ａが遮断板８０におけるスタートレバー用の接続線通過穴８２（図５参照）の部分と当接する状態となり、接続線９５は接続線通過穴８２内に案内される。
【００８８】
上記構成によれば、一般的に不正対象になり易いスターレバー２６の遊技信号生成装置が、カバー部材９０と遮断板８０により被覆された状態となるので、遊技の抽選に関連する重要な装置、すなわち、不正の対象となる可能性の高い装置を安全に保護することができる。また、万が一、不正を試みる者による工具の侵入などの衝撃によりスタートレバーユニット９２が破損してしまった場合であっても、このスタートレバーユニット９２は着脱自在に構成されているので、その交換を容易に行うことができる。
【００８９】
（第２の実施の形態）
以下、第2の実施の形態について説明する。なお、第1の実施の形態と同様の要素には同一の符号を付し、その説明を省略する。
【００９０】
図７は、本実施の形態に係るスロットマシン１の前面扉３の貫通穴部２９に装着されたストップボタン２７の被挿入部分をカバーするボタンカバー部材９４の構成を説明する図である。図示のように、本実施の形態では、操作部３Ｃは第１の実施の形態のように着脱式のユニット型ではなく、前面扉３と一体型となっている。そして、各ストップボタン２７−１、２７−２、２７−３の前面扉裏側の部分をまとめてカバーするボタンカバー部材９４が設けられる。このボタンカバー部材９４は、アクリルやポリカーボネート等の樹脂で形成されており、両側部に形成された取り付け部９４ａのネジ孔９７において操作部３Ｃの所定箇所にネジ止めされることで、操作部３Ｃに固定される。
【００９１】
また、ボタンカバー部材９４におけるストップボタン２７の高さ位置よりも高い位置には、各ストップボタン２７−１、２７−２、２７−３の接続線９５−１、９５−２、９５−３をそれぞれ通過させる３箇所のストップボタン用接続線通過穴９６−１、９６−２、９６−３が等間隔に設けられている。
【００９２】
図８は、ボタンカバー部材９４が取り付けられた状態の操作部３Ｃの構造を説明する図である。図示のように、前面扉３の各ストップボタン２７−１〜２７−３の部分がボタンカバー部材９４により覆われた状態となることにより、不正を試みようとする者が、ストップボタン２７を前面扉３の外側から取外して、その取外された部分の貫通穴部２９（図１参照）から不正な工具を侵入させ、スロットマシン１内の遊技制御装置にアクセスしようとした場合であっても、ボタンカバー部材９４がその工具を遮り、スロットマシン１内部の装置への不正なアクセスを禁止することができる。
【００９３】
特に、本実施の形態では、上述のようにボタンカバー部材９４のストップボタン用接続線通過穴９６がストップボタン２７の高さ位置よりも高い位置に設けられているので、不正を行う者が貫通穴部２９から工具を侵入させ、それをストップボタン用接続線通過穴９６に通しても、その工具をスロットマシン１内部におけるストップボタン２７の高さ位置よりも低い位置に設けられたホッパ基板等の遊技制御装置へアクセスさせることが極めて困難なものとなる。従って、不正行為に対する安全度をより向上させることができる。
【００９４】
なお、ストップボタン２７の接続線通過穴９６を下部位置、すなわち、ストップボタン２７の高さ位置よりも低い位置に設け、スロットマシン１内部におけるストップボタン２７の高さ位置よりも高い位置に設けられた主制御基板等の遊技制御装置への不正なアクセスを防止するようにしても良い。
【００９５】
（第３の実施の形態）
以下、第3の実施の形態について説明する。なお、上記第2の実施の形態と同様の要素には、同一の符号を付し、その説明を省略する。
【００９６】
図９は、本実施の形態に係るスロットマシン１のストップボタン２７の前面扉裏側の部分に設けられたボタンカバー部材９４の構成を説明する図である。図示のように、本実施の形態では、ボタンカバー部材９４の下部位置でストップボタン２７の高さ位置によりも低い位置に接続線案内部９８が接続線通過穴９６に連通するようにして設けられている。この接続線案内部９８は、ボタンカバー部材９４から下方に屈曲して所定長さ延在する湾曲形状を有しており、その先端が開口されて接続線出口１００が形成されている。従って、ストップボタン２７に設けられる接続線９５は、接続線案内部９８に案内され接続線出口１００から出て、図示しない中継基板に接続される。
【００９７】
上記構成によれば、ストップボタン２７が装着されている部分の貫通穴部２９（図１参照）と接続線出口１００を直線で結ぶことができない形状であるので、この貫通穴部２９から不正に工具が挿通された場合であってもスロットマシン１内部への侵入経路（すなわち、接続線案内部９８の内部）が非直線状となり、遊技制御装置へのアクセスが困難なものとなる。従って、スロットマシン１内の装置に対する不正な操作をより効果的に防止することができる。特に、上述のように、接続線案内部９８が下方に湾曲した形状であることから、不正を行う者が、工具を貫通穴部２９に挿通して接続線案内部９８を経由して接続線出口１００から出すことに成功したとしても、この工具は下方向に誘導された状態となるので、スロットマシン１内の比較的上部位置に配置されている主制御基板へのアクセスは極めて困難なものとなる。従って、不正行為に対する安全度をより向上させることができる。
【００９８】
（第４の実施の形態）
以下、第4の実施の形態について説明する。なお、第3の実施の形態と同様の要素には、同一の符号を付し、その説明を省略する。
【００９９】
図１０は、本実施の形態におけるボタンカバー部材９４を前面扉３の裏側から取り付ける状態を説明する説明図であり、図示のように、本実施の形態におけるボタンカバー部材９４の下部位置の接続線通過穴９６に連通するようにして屈曲形状に形成されストップボタン２７の接続線９５をまとめてカバーし案内する接続線カバー部１０２が設けられている。この接続線カバー部１０２は、ボタンカバー部材９４がストップボタン２７の前面扉裏側の部分に取り付けられた状態で、接続線９５の接続先である中継基板１３０の中継基板コネクタ１３２に到達可能な長さに形成されており、さらに、その状態で中継基板コネクタ１３２に対向する位置に、接続線出口１００が設けられている。これにより、接続線カバー部１０２にカバーされている接続線９５は、この接続線出口１００から出て、そのコネクタ１０６が中継基板コネクタ１３２に接続される。
【０１００】
図１１は、ボタンカバー部材９４を前面扉３の裏側から取り付けた状態を概略的に示す図である。図示のように、本実施の形態の接続線カバー部１０２により、ストップボタン２７の前面扉裏側の部分、及び接続線９５は、ボタンカバー部材９４とその接続線カバー部１０２により全体的に覆われた状態となる。
【０１０１】
これにより、ストップボタン２７が前面扉３の外側から取外された場合でも、ストップボタン２７が装着されていた部分の貫通穴部２９と連通するスロットマシン１内部の空間は、ホッパ基板や主制御基板から物理的に断絶されることとなる。従って、ストップボタン２７が取外された部分の貫通穴部２９から不正に工具が挿入された場合であっても、この工具のホッパ基板や主制御基板等の遊技制御装置へのアクセスをほぼ確実に防止することができる。
【０１０２】
（第５の実施の形態）
以下、第５の実施の形態について説明する。なお、第1の実施の形態と同様の要素には、同一の符号を付し、その説明を省略する。
【０１０３】
図１２は、本実施の形態にかかるスロットマシン１において各ストップボタン２７−１〜２７−３の接続線９５を、上述の中継基板に取り付ける部分であるコネクタ側から接続線通過穴８４に通過させる構成を説明する図であり、図１３は、図１２における要部の概略拡大図である。
【０１０４】
図示のように、本実施の形態では、接続線通過穴８４は、主開口部８４ａと、この主開口部８４ａの両端部にそれぞれ形成された突出開口部８４ｂ及び８４ｃによって構成された正面視逆Ｔ字形状に形成されている。また、ストップボタン２７−１〜３の接続線９５−１〜９５−３においては、それぞれ中継基板に接続させるコネクタ１０６−１〜１０６−３が設けられており、このコネクタ１０６−１〜１０６−３の断面の形状及び面積は、接続線通過穴８４の主開口部８４ａの断面の形状及び面積とほぼ一致している。そして、本実施の形態においては、配線９５−１、９５−２におけるコネクタ１０６−１、１０６−２の近傍位置には、引き出し仕切り部材１０４−１〜１０４−３がそれぞれ設けられている。
【０１０５】
引き出し仕切り部材１０４−１の断面の形状及び面積は、接続線通過穴８４全体の断面の形状及び面積とほぼ一致している。すなわち、引き出し仕切り部材１０４−１は、接続線通過穴８４を通過可能となるように可及的に大きな面積に形成されている。また、引き出し仕切り部材１０４−２は、引き出し仕切り部材１０４−１と比較して、接続線通過穴８４の突出開口部８４ｂに対応する箇所が欠けている形状に形成されている。
【０１０６】
図１４（ａ）〜図１４（ｃ）は、接続線９５−１〜９５−３をコネクタ１０６−１〜１０６−３側から接続線通過穴８４に挿通させる態様を説明する説明図である。
【０１０７】
先ず、図１４（ａ）に示すように、接続線９５−１をコネクタ１０６−１側から接続線通過穴８４に挿通させ、引き出し仕切り部材１０４−１を通過させる。上述のように引き出し仕切り部材１０４−１の断面の形状及び面積が接続線通過穴８４の形状及び面積とほぼ一致することから、引き出し仕切り部材１０４−１は、接続線通過穴８４のほぼ全体を通って通過する。
【０１０８】
そして、接続線９５−１の引き出し仕切り部材１０４−１を接続線通過穴８４に通過させた後に、図１４（ｂ）に示すように、穴８４を通過した状態の接続線９５−１を突出開口部８４ｂの部分にまとめて、接続線９５−２をコネクタ１０６−２側から接続線通過穴８４に挿通させ、引き出し仕切り部材１０４−２を通過させる。上述のように、引き出し仕切り部材１０４−２は、引き出し仕切り部材１０４−１と比較して、接続線通過穴８４の突出開口部８４ｂに対応する箇所が欠けている形状に形成されているので、突出開口部８４ｂに接続線９５−１が挿通されている状態であっても、主開口部８４ａと突出開口部８４ｂの部分で引き出し仕切り部材１０４−２をぎりぎり通過させることができる。
【０１０９】
更に、接続線９５−２の引き出し仕切り部材１０４−２を接続線通過穴８４に通過させた後に、図１４（ｃ）に示すように、穴８４を通過した状態の接続線９５−２を突出開口部８４ｃの部分にまとめて、接続線９５−３をコネクタ１０６−３側から接続線通過穴８４に通過させる。上述のように、コネクタ１０６−３の断面の形状及び面積は、接続線通過穴８４の主開口部８４ａの断面の形状及び面積とほぼ一致することから、コネクタ１０６−３は、接続線通過穴８４のほぼ全体を通って通過する。
【０１１０】
そして、接続線通過穴部８４を通って筐体２の内部側に入ったコネクタ１０６−１〜１０６−３は、筐体２内の中継基板に接続される。なお、図示しないが、ベットボタン２３の接続線は、このコネクタ１０６−３を接続線通過穴８４に通過させた後に、この接続線通過穴８４に通過させることができる。
【０１１１】
上記構成によれば、ただ１つの可及的に面積の小さい接続線通過穴８４においてコネクタ１０６を有する接続線９５を通過させることができる。従って、ベットボタン２３等の操作部材が外部から取外され、そのベットボタン２３が装着されていた部分の貫通穴部１９などから接続線通過穴８４を狙って不正な工具の挿入が試みられた場合であっても、その接続線通過穴８４を通してスロットマシン１内部へ工具を侵入させることが極めて困難なもとなる。
【０１１２】
一方、上述のように接続線通過穴部８４に挿通されている接続線９５−１〜９５−３は、例えば、初めに、左ストップボタン２７−１に対応する接続線９５−１を前面扉３側に引っ張り抜こうとしても、接続線通過穴８４をぎりぎり通過可能な大きさの引き出し仕切り部材１０４−１が他の中ストップボタン２７−２の接続線９５−２などに引っ掛かり抜く事が出来ない。すなわち、接続線通過穴部８４から接続線９５を前面扉３側に引き抜く際には、挿入する場合とは逆に、先ず、右ストップボタン２７−３の接続線９５−３を引きコネクタ１０６−３を接続線通過穴８４から抜き出し、次に、中ストップボタン２７−２の接続線９５−２を引き、コネクタ１０６−２及び引き出し仕切り部材１０４−２を接続線通過穴８４から抜き出し、最後に、左ストップボタン２７−１の接続線９５−３を引き、コネクタ１０６−３及び引き出し仕切り部材１０４−１を接続線通過穴８４から抜き出す必要がある。
【０１１３】
従って、前面扉３の外側からのストップボタン２７の不正な抜き出しが困難なものとなるので、スロットマシン１内部の装置への不正な操作の原因となるストップボタン２７の取外しそのものを防止することができる。
【０１１４】
（第６の実施の形態）
以下、第6の実施の形態について図面を参照にして詳細に説明する。本実施の形態における特徴的な構成は、ストップボタン２７の貫通穴部２９への装着構造である。
【０１１５】
図１５は、操作スイッチユニット３Ｃにストップボタン２７を装着する状態を示す図である。なお、図には、中ストップボタン２７−２の装着状態のみを示しているが、左ストップボタン２７−１や右ストップボタン２７−３の装着の場合も同様である。図示のように、本実施の形態では、中ストップボタン２７−２は、操作スイッチユニット３Ｃの裏側（すなわち、前面扉３の裏側）から貫通穴部２９に挿入装着される。
【０１１６】
図１６は、本実施の形態のストップボタン２７の構造を説明する説明図であり、図１６（ａ）は、ストップボタン２７の正面図、図１６（ｂ）は、ストップボタン２７の側面図、図１６（ｃ）は、ストップボタン２７の背面図、図１６（ｄ）は、ストップボタン２７の平面図を示している。図示のように、ストップボタン２７は、その側面２７ａ上の対向位置に該側面２７ａの形状に沿って延在するように突出形成されたフランジ部１０８を有している。
【０１１７】
また、ストップボタン２７の側面２７ａの対向配置されたそれぞれのフランジ部１０８の隣接位置には、後述する操作スイッチユニット３Ｃの係止突起１１５（図１５参照）に係止させるための係止片１０７が設けられている。この係止片１０７は、その基端部分１０７ａが平行配置され上下方向に延在する一対のフレーム状に形成されておりストップボタン２７の側面２７ａに固着されている。そして、そのフレーム状部分の先端部分には、側面２７ａから離間する方向に延在する叉状の突起挟み部１０７ｂが形成されている。なお、本実施の形態において、フランジ部１０８は、側面２７ａに沿って下方に向かって漸次傾斜する傾斜形状を有している。
【０１１８】
そして、図１５に示しているように、各ストップボタン２７−１〜２７−３は、隔壁部１１１により仕切られており、この各隔壁部１１１の側面には、係合部１０９−１〜１０９−３が設けられている。この係合部１０９−１〜１０９−３には、フランジ部１０８の差し込みを許容する図示しない差込部分が形成されている。
【０１１９】
更に、操作スイッチユニット３Ｃのボタン取り付け面１１３における貫通穴部２９の縁部近傍位置には、ストップボタン２７の係止片１０７を係止させる上述の係止突起１１５が、貫通穴部２９を挟む対向位置に形成されている。
【０１２０】
図１７〜図１９は、ストップボタン２７−２を操作スイッチユニット３Ｃの貫通穴部２９−２に取り付ける態様を説明する図である。先ず、図１７に示すように、ストップボタン２７−２を操作スイッチユニット３Ｃの内側から貫通穴部２９−２に挿入する。本実施の形態において、ストップボタン２７−２の貫通穴部２９−２への挿入は、それぞれのフランジ部１０８を各係止突起１１５−２に対応させる、すなわち、各フランジ部１０８の位置が係合部１０９−２の位置とずれるようにして行なわれる。
【０１２１】
次に、図１８、及び図１９に示すように、貫通穴部２９−２に挿入したストップボタン２７−２を回転させる。このようにストップボタン２７−２を回転させることで、各フランジ部１０８が係合部１０９−２の上記差込部分に差し込まれて係合されるとともに、係合片１０７が弾性変形してその突起挟み部１０７ｂが係止突起１１５に引っかかり係止される。
【０１２２】
これにより、ストップボタン２７が、操作スイッチユニット３Ｃの裏面側、すなわち、貫通穴部２９を通過不能なストップボタン２７を前面扉３の裏面側から取り付け固定されているので、前面扉３の外側から工具などにストップボタン２７が抉られて取外されてしまうことを防止することができる。すなわち、スロットマシン１の内部へ不正なアクセスの可能性を与える、ストップボタン２７が取外されることによる貫通穴部２９の露出を効果的に防止することができる。
【０１２３】
（第７の実施の形態）
以下、第7の実施の形態について図面を参照にして詳細に説明する。なお、第６の実施の形態と同様の要素には、同一の符号を付し、その説明を省略する。
【０１２４】
図２０は、操作スイッチユニット３Ｃにストップボタン２７を装着する状態を示す図である。図示のように、本実施の形態では、各隔離壁１１１の貫通穴部２９側に対向する一対のガイド部材１１８−１〜１１８−３が設けられている。このガイド部材１１８の両端部には、ストップボタン２７を貫通穴部２９に装着した状態で固定するための一対のスライド片１２０が、スライド可能に係止される。なお、図には、中ストップボタン２７−２の部分に対応するガイド部材１１８−２に係止されたスライド片１２０のみを図示しているが、勿論、他のストップボタン２７−１、２７−３の部分に対応するガイド部材１１８−１、１１８−３にもスライド片１２０を係止させることが可能である。
【０１２５】
図２１は、本実施の形態のストップボタン２７の構造を説明する説明図であり、図２１（ａ）は、ストップボタン２７の正面図、図２１（ｂ）は、ストップボタン２７の側面図、図２１（ｃ）は、ストップボタン２７の背面図、図２１（ｄ）は、ストップボタン２７の平面図を示している。図示のように、本実施の形態におけるフランジ部１０８は、ストップボタン２７の側面２７ａに沿って略水平に形成されており、ストップボタン２７の正面及び背面から視てほぼ中央位置に上方に突出する突出部１０８ａを備えている。この突出部１０８ａには、ストップボタン２７の本体部分を挟んだ対向位置に係止突起１１５を係合させるための孔部１０８ｂが形成されている。
【０１２６】
図２２は、ストップボタン２７−２が貫通穴部２９−２に取り付けた状態を示す図である。図から理解されるように、ストップボタン２７−２の取り付けは、ストップボタン２７−２をフランジ部１０８の孔部１０８ｂと係止突起１１５が対応する位置で操作スイッチユニット３Ｃの裏側から貫通穴部２９−２に挿入し、一対のスライド部材１２０を相互にストップボタン２７−２側にスライドさせることで、フランジ部１０８をスライド部材１２０とボタン取り付け面１１３との間の空間に差し込むことで行なう。すなわち、フランジ部１０８が、スライド部材１２０とボタン取り付け面１１３との間で係止されることでストップボタン２７−２が操作スイッチユニット３Ｃに固定された状態となる。なお、スライド部材１２０をストップボタン２７−２から離間する方向にスライドさせることで、フランジ部１０８に対する係止状態が解除される。
【０１２７】
上記構成によれば、前面扉３の外側からのストップボタン２７の取外しを防止しつつ、ストップボタン２７の操作スイッチユニット３Ｃ裏側からの着脱を容易に行なうことができる。
【０１２８】
なお、本発明は、上記実施の形態に限定されるものではなく、発明の要旨の範囲内で種々変更が可能である。例えば、本実施の形態では、前面扉３の貫通穴部に挿入装着される装着部材として、ベットボタン２３やストップボタン２７について挙げているが、これに限られるものではなく、他の種々の部材を適用可能である。
【０１２９】
また、本発明に係る遊技機としては、上記実施の形態において説明した種類のスロットマシンに限られるものではなく、パチンコ機、遊技球を用いて遊技を行うスロットマシン、雀球、アレンジボール等の他の種々の遊技機が含まれる。
【符号の説明】
【０１３０】
１  スロットマシン（遊技機）
２  筐体
３  前面扉
４  遊技機本体
１９  貫通穴部
２３  ベットボタン
２７  ストップボタン
２９  貫通穴部
８０  遮断板（侵入規制手段）
８４  接続線通過穴部
９４  ボタンカバー部材（侵入規制手段）
９８  接続線案内部
１０２  接続線カバー部材
【図１】
2010213752.tif 000003
【図２】
2010213752.tif 000004
【図３】
2010213752.tif 000005
【図４】
2010213752.tif 000006
【図５】
2010213752.tif 000007
【図６】
2010213752.tif 000008
【図７】
2010213752.tif 000009
【図８】
2010213752.tif 000010
【図９】
2010213752.tif 000011
【図１０】
2010213752.tif 000012
【図１１】
2010213752.tif 000013
【図１２】
2010213752.tif 000014
【図１３】
2010213752.tif 000015
【図１４】
2010213752.tif 000016
【図１５】
2010213752.tif 000017
【図１６】
2010213752.tif 000018
【図１７】
2010213752.tif 000019
【図１８】
2010213752.tif 000020
【図１９】
2010213752.tif 000021
【図２０】
2010213752.tif 000022
【図２１】
2010213752.tif 000023
【図２２】
2010213752.tif 000024